(57)【特許請求の範囲】
【請求項１】
原子力関連設備の構造物の各室における放射性物質の除染方法において、
ゼオライト粒子と洗浄液とからなるブラスト媒体を圧縮空気によりノズルから前記各室の汚染面に吹き付けて、又は、前記洗浄液と前記圧縮空気とからなる圧縮洗浄液に前記ゼオライト粒子を混合させて生成するブラスト媒体を前記ノズルから前記各室の汚染面に吹き付けて、前記放射性物質を前記ブラスト媒体と共に前記各室の床面に落下させる洗浄手順と、
前記洗浄手順により、前記各室の前記床面に落下した前記ブラスト媒体と前記放射性物質とを一定時間滞留させて、前記洗浄水から前記放射性物質を前記ゼオライト粒子へ付着させる放射性物質移行手順と、
前記放射性物質移行手順により、前記放射性物質を吸着した前記ゼオライト粒子を回収する回収手順とを備え、
前記洗浄手順において、洗浄開始前に前記各室の雰囲気の放射線量を測定し、前記各室の雰囲気の放射線量に応じて洗浄時間を設定する
ことを特徴とする放射性物質の除染方法。
【請求項２】
請求項１に記載の放射性物質の除染方法において、
前記放射性物質移行手順経過後に、前記洗浄水を前記原子力関連設備の廃水ピットへ排出する排出手順をさらに備えた
ことを特徴とする放射性物質の除染方法。
【請求項３】
請求項１又は２に記載の放射性物質の除染方法において、
前記放射性物質移行手順において、前記各室の前記床面に落下した前記ブラスト媒体と前記放射性物質とを滞留させる放射性物質移行時間は、予め実験したゼオライト粒子に移行したセシウムの割合の特性から設定される
ことを特徴とする放射性物質の除染方法。
【請求項４】
請求項１乃至３のいずれか１項に記載の放射性物質の除染方法において、
前記洗浄手順において、洗浄開始前に前記各室の雰囲気の放射線量を測定し、前記各室の雰囲気の放射線量に応じて前記ゼオライト粒子と前記洗浄液との量を設定する
ことを特徴とする放射性物質の除染方法。
【請求項５】
原子力関連設備の構造物の各室における放射性物質を除染する除染装置において、
ゼオライト粒子と洗浄液とを混合したブラスト媒体を移送するブラスト媒体供給部と、
前記ブラスト媒体供給部に圧縮空気を供給する加圧空気供給部と、
前記ブラスト媒体供給部からのブラスト媒体を前記原子力関連設備の構造物の各室の雰囲気の放射線量に応じて予め定めた洗浄時間に従って汚染面に向けて吹き付ける噴出ノズルと、
前記噴出ノズルを支持すると共に、前記噴出ノズルの噴出方向を全方位に可変制御する噴出ノズル支持部とを備えた
ことを特徴とする放射性物質の除染装置。
【発明の詳細な説明】
【技術分野】
【０００１】
本発明は、原子力関連設備の構造物における放射性物質の除染方法及び除染装置に関する。
【背景技術】
【０００２】
原子力関連設備等で発生する放射性物質付着体の表面の除染を実施する除染方法及び装置として、放射性物質付着表面に対して、ゼオライト粒子と加圧空気との混合流体を吹き付けて放射性物質を研削し、研削した放射性物質をゼオライト粒子に付着させながら回収し、回収したゼオライト粒子を放射性物質の吸着剤として再利用するものがある（例えば、特許文献１参照）。
【先行技術文献】
【特許文献】
【０００３】
【特許文献１】特開平５−８７９８３号公報
【発明の概要】
【発明が解決しようとする課題】
【０００４】
原子力関連設備の一つである原子力発電設備の構造物は、建設期間短縮のために、モジュール化されている場合が多い。このようにモジュール化された原子力発電設備の構造物内の各室には、配管類や機器等が配置されていて、煩雑な内部空間を形成している。
【０００５】
ところで、原子力発電設備においては、何らかの要因により、原子炉格納容器の熱除去機能を喪失した場合、原子炉格納容器の除熱ができないために、原子炉格納容器内の温度と圧力が上昇し、原子炉格納容器が破損することもあり得る。
【０００６】
このような原子炉格納容器の破損が生じると、原子力発電設備の構造物内の全体が放射性物質に汚染される。原子力発電設備の復旧のためには、原子力発電設備の構造物内の除染が重要な道標になる。
【０００７】
上述した特許文献１に記載された除染方法の場合、洗浄水の使用を省略して、放射性物質付着表面をゼオライト粒子で研削するため、原子力発電設備の構造物内の各室のように広範囲で煩雑な除染対象に対しては、かえって、粉塵態様の放射性物質を拡散させてしまい良好な除染が得られないという憾みがある。
【０００８】
本発明は、上述の事柄に基づいてなされたもので、その目的は、原子力関連設備の構造物内の各室のように広範囲で煩雑な内部空間が汚染された場合において、放射性物質を効率良く除染することのできる除染方法及び除染装置を提供するものである。
【課題を解決するための手段】
【０００９】
上記の目的を達成するために、第１の発明は、原子力関連設備の構造物の各室における
放射性物質の除染方法において、ゼオライト粒子と洗浄液とからなるブラスト媒体を圧縮
空気によりノズルから前記各室の汚染面に吹き付けて、又は、前記洗浄液と前記圧縮空気
とからなる圧縮洗浄液に前記ゼオライト粒子を混合させて生成するブラスト媒体を前記ノ
ズルから前記各室の汚染面に吹き付けて、前記放射性物質を前記ブラスト媒体と共に前記
各室の床面に落下させる洗浄手順と、前記洗浄手順により、前記各室の前記床面に落下し
た前記ブラスト媒体と前記放射性物質とを一定時間滞留させて、前記洗浄水から前記放射
性物質を前記ゼオライト粒子へ付着させる放射性物質移行手順と、前記放射性物質移行手
順により、前記放射性物質を吸着した前記ゼオライト粒子を回収する回収手順とを備え、
前記洗浄手順において、洗浄開始前に前記各室の雰囲気の放射線量を測定し、前記各室の雰囲気の放射線量に応じて洗浄時間を設定するものとする。
【００１０】
また、第２の発明は、第１の発明において、前記放射性物質移行手順経過後に、前記洗浄水を前記原子力関連設備の廃水ピットへ排出する排出手順をさらに備えたことを特徴とする。
【００１１】
更に、第３の発明は、第１又は第２の発明において、前記放射性物質移行手順において、前記各室の前記床面に落下した前記ブラスト媒体と前記放射性物質とを滞留させる放射性物質移行時間は、予め実験したゼオライト粒子に移行したセシウムの割合の特性から設定されることを特徴とする。
【００１２】
また、第４の発明は、第１乃至第３の発明のいずれかにおいて、前記洗浄手順において、洗浄開始前に前記各室の雰囲気の放射線量を測定し、前記各室の雰囲気の放射線量に応じて前記ゼオライト粒子と前記洗浄液との量を設定することを特徴とする。
【００１３】
更に、第５の発明は、原子力関連設備の構造物の各室における放射性物質を除染する除
染装置において、ゼオライト粒子と洗浄液とを混合したブラスト媒体を移送するブラスト
媒体供給部と、前記ブラスト媒体供給部に圧縮空気を供給する加圧空気供給部と、前記ブ
ラスト媒体供給部からのブラスト媒体を前記原子力関連設備の構造物の各室の雰囲気の放射線量に応じて予め定めた洗浄時間に従って汚染面に向けて吹き付ける噴出ノズルと、前記噴出ノズルを支持すると共に、前記噴出ノズルの噴出方向を全方位に可変制御する噴出ノズル支持部とを備えたものとする。
【発明の効果】
【００１５】
本発明によれば、放射性物質を吸着する性質を有するゼオライト粒子と洗浄液とでブラスト媒体を形成し、このブラスト媒体によって原子力関連設備の構造物内の各室の汚染面を洗浄し、床部に汚染した洗浄水とゼオライト粒子とを一定時間滞留させて、汚染した洗浄液中の放射性物質をゼオライト粒子に吸着させるので、広範囲で煩雑な内部空間が汚染された場合においても、放射性物質を効率良く除染することができる。
【図面の簡単な説明】
【００１６】
【図１】本発明の放射性物質の除染方法及び除染装置の一実施の形態を適用した原子力関連設備の構造物内の各室の一例を示す斜視図である。
【図２】本発明の放射性物質の除染方法及び除染装置の一実施の形態において、洗浄終了直後の状態を示す原子力関連設備の構造物内の各室の正面図である。
【図３】本発明の放射性物質の除染方法及び除染装置の一実施の形態において、洗浄後であって放射性物質移行時間経過後の状態を示す原子力関連設備の構造物内の各室の正面図である。
【図４】本発明の放射性物質の除染方法及び除染装置の一実施の形態において、除染終了後の状態を示す原子力関連設備の構造物内の各室の正面図である。
【図５】本発明の放射性物質の除染方法及び除染装置の一実施の形態における除染方法の手順を示すフローチャート図である。
【発明を実施するための形態】
【００１７】
以下、本発明の放射性物質の除染方法及び除染装置の実施の形態を図面を用いて説明する。図１は本発明の放射性物質の除染方法及び除染装置の一実施の形態を適用した原子力発電設備の構造物内の各室の一例を示す斜視図である。なお、以下では原子力関連設備の一つである原子力発電設備の構造物への適用を例に用いて説明する。
【００１８】
図１において、原子力発電設備の構造物内の各室１は、天井部１Ａと、床部１Ｂと、側壁部１Ｃとを備えている。天井部１Ａと床部１Ｂと側壁部１Ｃとには、後述する配管類やケーブルコンジットが貫通する孔等が穿設されている。また、床部１Ｂには、図示しない廃水ピットに連通する排水孔１Ｂａが設けられている。本実施の形態においては、この排水孔１Ｂａを蓋部材Ｘで塞いでいる。
【００１９】
蓋部材Ｘは、後述する洗浄水の排出を防ぐ蓋部Ｘａと、蓋部Ｘａを開放した後に洗浄水を廃水ピットへ排出する際に、後述するゼオライト粒子を残留させ洗浄水中の油分と放射性物質を濾過するフィルター部Ｘｂとを備えている。
【００２０】
各室１において、左側の側壁部１Ｃの前方には、床部１Ｂと天井部１Ａとを貫通する原子力発電設備の大口径配管２ａ，２ｂが配設されている。また、正面側の側壁部１Ｃの前方には、左側の側壁部１Ｃから導入されて、床部１Ｂから各室１の外側へ導出される原子力発電設備の小口径配管３ａ〜３ｄが配設されている。
【００２１】
更に、右側の側壁部１Ｃの前方には、原子力発電設備の制御盤４ａ〜４ｃが配設されていて、各制御盤４ａ〜４ｃの上部からは、天井部１Ａに向けてケーブルコンジットが配設されている。また、左側の側壁部１Ｃには、電源盤４ｄが固設されていて、電源盤４ｄの上部からは、天井部１Ａに向けてケーブルコンジットが配設されている。
【００２２】
本実施の形態は、このような広範囲で煩雑な各室１の内部における機器類や側壁部１Ｃ，天井部１Ａ等が、全面的に汚染された場合に、これらの表面に付着した放射性物質を効率良く除染できる除染方法及びこれに用いる除染装置に関するものである。
【００２３】
まず除染装置５について説明する。図１において、除染装置５は、ゼオライト粒子２１と洗浄液２２とを混合したブラスト媒体２０を各室１の汚染面に吹き付け、放射性物質を剥離して洗浄するいわゆるブラスト装置で構成している。除染装置５は、ブラスト媒体供給部５Ａと加圧空気供給部５Ｂと噴出ノズル支持部５Ｃとを備えている。
【００２４】
ブラスト媒体供給部５Ａは、タンク６とタンク６の下部に設けたブラスト媒体供給装置７とを備えている。ブラスト媒体供給部５Ａは、ブラスト媒体供給装置７の下部に設けた４つの車輪８ａにより、移動可能となっている。
【００２５】
タンク６には、ブラスト媒体２０を構成するゼオライト粒子２１と洗浄液２２とが貯留されている。ゼオライト粒子２１と洗浄水２２とは、タンク６の上部から供給し、タンク６内で混合される。タンク６の下部には、ブラスト媒体２０をブラスト媒体供給装置７へ移送するホッパ形状の供給口（図示せず）が設けられている。タンク６において、適正なブラスト媒体２０を生成するために、ゼオライト粒子２１の供給量と洗浄液２２の供給量とは、あらかじめ実験等により好適な値を決定し、この値に設定している。
【００２６】
ブラスト媒体供給装置７は、加圧空気供給部５Ｂからの圧縮空気配管３０が接続される圧縮空気供給口７ａと、ブラスト媒体２０を噴出ノズル支持部５Ｃに供給するホース９が接続されるブラスト媒体噴出口７ｂと、圧縮空気供給口７ａとブラスト媒体噴出口７ｂとの間に設けられ、ブラスト媒体２０を圧送するブラスト媒体圧送部７ｃとを備えている。
【００２７】
ブラスト媒体圧送部７ｃは、例えば、圧縮空気供給口７ａとブラスト媒体噴出口７ｂとに両端が連通し、中間部において、タンク６からのブラスト媒体２０が供給される供給口と連通する管路において、内部にスクリュー部材が設けられているものであっても良い。このスクリュー部材は、加圧空気供給部５Ｂからの圧縮空気により回転駆動され、供給口から供給されるブラスト媒体２０を効果的に混合し、加圧空気供給部５Ｂからの圧縮空気によりブラスト媒体噴出口７ｂから噴出ノズル支持部５Ｃにホース９を介して圧送する。
【００２８】
なお、ブラスト媒体供給部５Ａにおいて、タンク６を２つに区分し、ゼオライト粒子２１と洗浄液２２とを独立して貯蔵し、ブラスト媒体圧送部７ｃで、圧縮空気と洗浄液２２とからなる圧縮洗浄液を生成し、この圧縮洗浄液にゼオライト粒子２１を混合させてブラスト媒体２０を生成しても良い。
【００２９】
加圧空気供給部５Ｂは、例えば、台車に載置されたエアコンプレッサ１１であって、台車に設けた４つの車輪８ｂにより、移動可能となっている。エアコンプレッサ１１は、吐出口に圧縮空気配管３０が接続されていて、この圧縮空気配管３０を介してブラスト媒体供給装置７に圧縮空気を供給する。
【００３０】
噴出ノズル支持部５Ｃは、ブラスト媒体供給部５Ａから供給されたブラスト媒体２０を各室１の汚染面に吹き付ける噴出ノズル１０と、噴出ノズル１０を支持する伸縮可能な棒状の支持部材１２と、支持部材１２の軸方向長さを可変する支持部材伸縮制御手段１３と、支持部材１２の先端側に回動可能に設けられ、支持部材１２の軸方向に対して噴出ノズル１０の噴出方向の水平／垂直角度を可変する噴出ノズル噴出角制御手段１４と、支持部材１２の基端側に回動可能に設けられ、各室１の床面１Ｂに対する支持部材１２の俯仰角度を可変する支持部材俯仰角制御手段１５と、台車の上部に設けられ、支持部材俯仰角制御手段１５が載置される旋回部材１６と、旋回部材１６を旋回させることで、噴出ノズル１０の噴出方向を水平の全方位に可変する旋回角制御手段１７とを備えている。噴出ノズル支持部５Ｃは、台車に設けた４つの車輪８ｃにより、移動可能となっている。
【００３１】
次に、本実施の形態における除染装置５を使用した除染方法の概略を説明する。  
除染装置５は、図１に示すように、各室１の略中央に配置された後、タンク６でゼオライト粒子２１と洗浄液２２とを混合してブラスト媒体２０を生成し、ブラスト媒体２０を圧縮空気でホース９中を輸送させ、噴出ノズル１０から各室１に配置される機器と各室１の全汚染面に吹き付ける。したがって、ブラスト媒体２０は、高速でこれらの放射性物質付着面に投射されることで洗浄を行う。
【００３２】
また、汚染装置５は、噴出ノズル支持部５Ｃの支持部材伸縮制御手段１３と噴出ノズル噴出角制御手段１４と支持部材俯仰角制御手段１５と旋回角制御手段１７とを備えているので、噴出ノズル１０の噴出方向を全方位に可変制御して、各室１の全汚染面を洗浄できる。さらに、ブラスト媒体２０は、ゼオライト粒子２１と洗浄液２２とからなるので、汚染面の研削による粉塵の発生を抑制すると共に、放射性物質を研削して剥離することで洗浄できる。
【００３３】
なお、洗浄開始前には、各室１の雰囲気の放射線量を測定器で測定し、この雰囲気の放射線量を基に予め実験等により定めた洗浄時間に従って、洗浄を実施する。また、洗浄の終了は、各室１に配置される機器と各室１の全汚染面から放射性物質が床部１Ｂに剥離落下したことにより終了する。具体的には、各室１に配置される機器と各室１の全汚染面の汚染度を例えばカメラ等によって確認すること、または洗浄後の雰囲気の放射線量を計測することで、判断しても良い。
【００３４】
各室１に配置される機器と各室１の全汚染面への除染装置５によるブラスト媒体２０の洗浄終了後の除染方法について図面を用いて説明する。図２は本発明の放射性物質の除染方法及び除染装置の一実施の形態において、洗浄終了直後の状態を示す原子力関連設備の構造物内の各室の正面図、図３は本発明の放射性物質の除染方法及び除染装置の一実施の形態において、洗浄後であって放射性物質移行時間経過後の状態を示す原子力関連設備の構造物内の各室の正面図、図４は本発明の放射性物質の除染方法及び除染装置の一実施の形態において、除染終了後の状態を示す原子力関連設備の構造物内の各室の正面図である。図２乃至図４において、図１に示す符号と同符号のものは同一部分であるので、その詳細な説明は省略する。
【００３５】
除染装置５による汚染面の洗浄終了直後には、図２に示すように、床部１Ｂにゼオライト粒子２１と汚染した洗浄液２２ａとゼオライト粒子２１により研削された研磨かす２３とが滞留する。この汚染した洗浄液２２ａには、多くの放射性物質が含まれている。
【００３６】
本実施の形態においては、このような汚染した洗浄液２２ａとゼオライト粒子２１とを一定時間滞留させる放射性物質移行時間を設けることで、ゼオライト粒子２１が汚染した洗浄液２２ａ中の放射性物質を吸着することを特徴とする。
【００３７】
図３は、放射性物質移行時間経過後の状態を示している。ゼオライト粒子２１は、放射性セシウムを吸着するセシウム吸着性を有しているため、汚染した洗浄液２２ａ中の放射性セシウムは、ゼオライト粒子２１に移行している。移行後のゼオライト粒子を２１ａで、放射性セシウムが除去された汚染した洗浄液を２２ｂでそれぞれ示している。ここで、放射性物質移行時間は、例えば、ゼオライト粒子２１と汚染した洗浄液２２ａの滞留時間と、ゼオライト粒子２１に移行した放射性セシウムの割合とを予めセシウムの安定同位体を用いた実験で得られた結果等により把握することで、設定される。
【００３８】
放射性物質移行時間経過後、ゼオライト粒子２１ａ等の回収を行う。具体的には、床部１Ｂの排水孔１Ｂａを塞いでいる蓋部材Ｘの蓋部Ｘａを取り除く。このことにより、洗浄液２２ｂは、蓋部材Ｘのフィルター部Ｘｂと排水孔１Ｂａとを介して廃水ピット等へ排出される。蓋部材Ｘのフィルター部Ｘｂは、洗浄液２２ｂ中の油分と放射性物質を濾過し、ゼオライト粒子２１ａを残留させる。
【００３９】
洗浄液２２ｂの排出後に、床部１Ｂに残留しているゼオライト粒子２１ａや研磨かす２３等を例えば真空掃除機等で回収して、各室１の外に搬出する。この結果、各室１の雰囲気線量も低下する。除染作業終了後の各室１の状態を図４に示す。
【００４０】
次に、上述した本発明の放射性物質の除染方法及び除染装置の一実施の形態による除染方法を図５を用いて説明する。図５は、本発明の放射性物質の除染方法及び除染装置の一実施の形態における除染方法の手順を示すフローチャート図である。図５において、図１乃至図４に示す符号と同符号のものは同一部分であるので、その詳細な説明は省略する。
【００４１】
まず、図５に示すように、ステップ（Ｓ１）では、除染装置５を各室１に配置する。具体的には、図１に示すように、各室１の略中央に除染装置５の噴出ノズル支持部５Ｃを配置すると共に、床部１Ｂの排水孔１Ｂａを蓋部材Ｘで塞ぐ。
【００４２】
ステップ（Ｓ２）では、各室１の雰囲気の線量を測定する。この各室１の雰囲気の線量を基に、除染装置５の洗浄時間を設定する。具体的には、各室１の汚染面の表面積が例えば設計図からわかるので、各室１の雰囲気の線量から単位表面積あたりの洗浄時間と全汚染面を洗浄する洗浄時間とが決定できる。また、予め実験等により、時間あたりのブラスト媒体２０の噴射量とブラスト媒体２０を構成するゼオライト粒子２１と洗浄液２２との混合比率とを設定しておく。このことにより、各室１の雰囲気の線量と除染したい汚染面の表面積とがわかれば、除染装置５のタンク６に供給するゼオライト粒子２０と洗浄水２２の量とが決定できる。
【００４３】
ステップ（Ｓ３）において、除染装置５による洗浄を開始する。除染装置５は、噴出ノズル１０の噴出方向を全方位に可変制御して、ブラスト媒体２０を吹き付け各室１の全汚染面を洗浄する。除染装置５による汚染面の洗浄終了直後には、図２に示すように、床部１Ｂにゼオライト粒子２１と汚染した洗浄液２２ａとゼオライト粒子２１により研削された研磨かす２３とが滞留する。この汚染した洗浄液２２ａには、多くの放射性物質が含まれている。
【００４４】
ステップ（Ｓ４）において、除染装置５は、洗浄経過時間が設定時間以上か否かの判断を行う。洗浄経過時間が設定時間未満の場合には、ステップ（Ｓ４）に戻り、洗浄経過時間が設定時間以上であれば、ステップ（Ｓ５）へ進む。
【００４５】
ステップ（Ｓ５）において、除染装置５は、設定時間経過後洗浄を停止する。この後、全汚染面からの放射性物質の剥離落下を確認するために、汚染面の放射線量として各室１の雰囲気の放射線量を測定器で測定する。
【００４６】
ステップ（Ｓ６）において、除染装置５は、汚染面の放射線量としての各室１の雰囲気の放射線量が設定値以下か否かの判断を行う。汚染面の放射線量が設定値超過の場合には、ステップ（Ｓ３）に戻り、汚染面の放射線量が設定値以下の場合には、ステップ（Ｓ７）へ進む。
【００４７】
ステップ（Ｓ７）において、除染装置５は、洗浄を終了とする。除染装置５は、洗浄終了と共に、汚染された洗浄水２２ａからゼオライト粒子２１への放射性セシウムの移行時間の計測を開始する。
【００４８】
ステップ（Ｓ８）において、除染装置５は、放射性物質移行経過時間が設定時間以上か否かの判断を行う。放射性物質移行経過時間が設定時間未満の場合には、ステップ（Ｓ８）に戻り、放射性物質移行経過時間が設定時間以上であれば、ステップ（Ｓ９）へ進む。このように、汚染した洗浄液２２ａとゼオライト粒子２１とを一定時間滞留させる放射性物質移行時間を設けることで、ゼオライト粒子２１が汚染した洗浄液２２ａ中の放射性物質を吸着する。
【００４９】
ステップ（Ｓ９）において、床部１Ｂに滞留した汚染された洗浄水２２ｂの排出を行う。具体的には、図４に示すように、床部１Ｂの排水孔１Ｂａを塞いでいる蓋部材Ｘの蓋部Ｘａを取り除く。このことにより、洗浄液２２ｂは、蓋部材Ｘのフィルター部Ｘｂにより液中の油分と放射性物質が濾過され、排水孔１Ｂａを介して廃水ピット等へ排出される。また、ゼオライト粒子２１ａは、床部１Ｂに残留する。
【００５０】
ステップ（Ｓ１０）において、ゼオライト粒子２１ａ等を回収する。具体的には、洗浄液２２ｂの排出後に、床部１Ｂに残留しているゼオライト粒子２１ａや研磨かす２３等を例えば真空掃除機等で回収して、各室１の外に搬出する。
【００５１】
ステップ（Ｓ１１）において、除染装置５を各室１の外に搬出する。
【００５２】
上述した本発明の放射性物質の除染方法及び除染装置の一実施の形態によれば、放射性物質を吸着する性質を有するゼオライト粒子２１と洗浄液２２とでブラスト媒体２０を形成し、原子力発電設備の構造物内の各室１の汚染面を洗浄し、床部１Ｂに汚染した洗浄水２２ａとゼオライト粒子２１とを一定時間滞留させて、汚染した洗浄液中２２ａの放射性物質をゼオライト粒子２１に吸着させるので、広範囲で煩雑な内部空間が汚染された場合においても、放射性物質を効率良く除染することができる。
【００５３】
また、上述した本発明の放射性物質の除染方法及び除染装置の一実施の形態によれば、ゼオライト粒子２１を研削材と吸着剤として用いているので、汚染面の研削性と放射性物質の吸着性の両面において、優れた性能を確保できる。この結果、効率良く除染することができる。また、吸着剤としてのゼオライト粒子２１は、粒状部材であるため、放射性物質移行時間経過後におけるゼオライト粒子２１の回収効率を高めることができる。
【００５４】
なお、本実施の形態においては、洗浄終了して放射性物質移行時間経過後に汚染した洗浄水２２ｂを廃水ピットへ排出する場合を例に説明したが、これに限るものではない。例えば、放射性物質移行時間経過後に汚染した洗浄水２２ｂを回収し、他の汚染水除染装置でさらに除染しても良い。
【００５５】
また、本実施の形態においては、洗浄終了後に汚染した洗浄水２２ｂの排出が必要となる程度の割合で、ゼオライト粒子２１と洗浄水２２とを混合してブラスト媒体２０を生成しているが、これに限るものではない。例えば、ゼオライト粒子２１が十分に湿潤する程度に洗浄水２２を混合しても良い。この場合、除染方法において、汚染した洗浄水２２ｂの排出が不要となり、廃棄物（汚染した洗浄水）の取り扱いが簡易になる。
【００５６】
さらに、本実施の形態においては、除染装置５を各室１の略中央に１台配置する場合を例に説明したが、これに限るものではない。例えば、複数台の除染装置５を配置しても良いし、除染装置５に自走機能を設け、遠隔操作することで、各室１の各汚染面に近接可能としても良い。
【符号の説明】
【００５７】
１          原子力関連設備の構造物内の各室
１Ａ        天井部
１Ｂ        床部
１Ｂａ      排水孔
１Ｃ        側壁部
２Ａ        大口径配管
２Ｂ        大口径配管
３ａ        小口径配管
４ａ        制御盤
４ｄ        電源盤
５          除染装置
５Ａ        ブラスト媒体供給部
５Ｂ        加圧空気供給部
５Ｃ        噴出ノズル支持部
６          タンク
７          ブラスト媒体供給装置
９          ホース
１０        噴出ノズル
１１        エアコンプレッサ
１２        支持部材
１３        支持部材伸縮制御手段
１４        噴出ノズル噴出角制御手段
１５        支持部材俯仰角制御手段
１６        旋回部材
１７        旋回角制御手段
２０        ブラスト媒体
２１        ゼオライト粒子
２２        洗浄液
Ｘ          蓋部材
【図１】
0005722242.tif 000002
【図２】
0005722242.tif 000003
【図３】
0005722242.tif 000004
【図４】
0005722242.tif 000005
【図５】
0005722242.tif 000006